(57)【要約】【課題】  落し錠装置の落し棒による騒音発生を防止し且つ落し棒受け部材に侵入した塵埃を除去できるようにする。【解決手段】  落し棒１を受け入れて施錠する床面の落し棒受け部材３を，塵埃除去をなし得るように径大とした有底の筒体４と，この筒体４の上端に着脱自在に設置した合成樹脂製のガイドキャップ５によって形成するとともに戸体の縦框ａに設置したガイド部材２の上下のガイド片２２の透孔２３に同様にガイドキャップ５を設置し，これらガイドキャップ５の挿通孔５２で落し棒１を挿通案内する。これによって落し棒１の揺動による騒音が解消され，またガイドキャップ５を外して，径大の筒体４に加圧水を放水し，指先や幅狭の棒乃至板の挿入することによって，この筒体４に侵入した塵埃を掻き出すように除去することができる。【選択図】  図２
2009150055.tif 000002
【特許請求の範囲】
【請求項１】
施錠用の落し棒と，戸体の縦框内に設置して上記落し棒を透孔に挿通して該落し棒を昇降するガイド部材と，床面に埋込設置して上記落し棒を受け入れる落し棒受け部材とを備え，上記落し棒受け部材を，上記落し棒の外径より径大の内径を有して侵入塵埃除去可能な有底径大の筒体と，該筒体の上端に着脱自在に設置して該筒体の内径を狭小化して上記落し棒を挿通案内する挿通孔を透設した合成樹脂製のガイドキャップを備えて形成してなることを特徴とする落し錠装置。
【請求項２】
上記ガイド部材の透孔の内径を，上記落し棒の外径より径大とし，該ガイド部材に上記落し棒を挿通案内する挿通孔を透設した合成樹脂製のガイドキャップを設置してなることを特徴とする請求項１に記載の落し錠装置。
【請求項３】
上記ガイド部材を，框固定片と，該框固定片に配置してそれぞれ透孔を透設した上下のガイド片を備えて形成し，上記ガイドキャップを該上下のガイド片にそれぞれ設置してなることを特徴とする請求項２に記載の落し錠装置。
【請求項４】
上記有底径大の筒体におけるガイドキャップと上記ガイド部材におけるガイドキャップを共通部材としてなることを特徴とする請求項２又は３に記載の落し錠装置。
【発明の詳細な説明】
【技術分野】
【０００１】
本発明は，戸体に設置してその施錠を行う落し錠装置に関し，例えば門扉のように屋外に設置する戸体に好適に用い得る落し錠装置に関する。
【背景技術】
【０００２】
施錠用の落し棒と，戸体の縦框内に設置して上記落し棒を透孔に挿通して該落し棒を昇降するガイド部材と，床面に埋込設置して上記落し棒を受け入れる落し棒受け部材とを備えた落し錠装置が知られており，例えば下記特許文献の落し錠装置は，落し棒受け部材に侵入した砂等の塵埃を容易に除去して，塵埃の侵入による落し錠の施錠トラブルを解消することを課題として，落し棒受け部材を内外一対の筒体によって形成し，外側の筒体の底に水抜孔を透設して床面に埋込設置する一方，内側の筒体の底にフィルターを設置して該内側の筒体を上記外側の筒体に挿脱自在に挿入することによって，内側の筒体を取外してその清掃を行って侵入塵埃の除去を行うようにしたものとされる。
【０００３】
【特許文献１】特開平８−９３３６７号公報
【発明の開示】
【発明が解決しようとする課題】
【０００４】
この場合，侵入塵埃の除去が可能となり，落し棒受け部材に塵埃が侵入して落し棒の受入れが阻害されることに起因する施錠不能や施錠不完全の施錠トラブルを防止することが可能となる。しかし乍ら，この種の落し錠装置は，一般に金属製とされるとともに落し棒受け部材の内径は，落し棒の昇降とこれによる施開錠をスムーズになし得るように，落し棒の外径より相当程度径大とされるために，屋外設置の戸体に該落し錠装置を設置したとき，戸体が風圧や振動を受けて開閉方向に振れることに伴って，落し棒受け部材に受け入れた落し棒が揺動し，これらの間で金属音を発生するに至るところ，この戸体の振れに伴う騒音発生の問題点を解消することはできない。
【０００５】
一方，落し棒の揺動を防止し騒音発生を防止するには，落し棒受け部材の内径を落し棒の外径に可及的に近似した寸法関係として，落し棒受け部材が落し棒を保持するようにすれば，戸体の振れとこれに伴う騒音発生を抑制することはできるが，例えば門扉における落し棒の外径は１．５ｃｍ程度であるのが一般であるから，これに近似した寸法関係とすると，落し棒受け部材の内径も１．５ｃｍ程度に狭小化して，例えば細棒を用いて塵埃を掻き出す等の方法によっても塵埃除去が著しく困難となって施錠トラブルに至るという結果を招来することになる。
【０００６】
このように落し棒受け部材の侵入塵埃除去による施錠トラブルを防止すると戸体の振れに伴う落し棒の騒音発生を防止できず，逆に落し棒の騒音発生を防止すると落し棒受け部材への塵埃侵入による施錠トラブルを防止できず，これら侵入塵埃除去と騒音発生防止とは相互に相反する関係となっている。
【０００７】
本発明はかかる事情に鑑みてなされたもので，その解決課題とするところは，落し棒受け部材の侵入塵埃除去による施錠トラブルの防止と，戸体の振れに伴う騒音発生の防止の双方をなし得るようにした落し錠装置を提供するにある。
【課題を解決するための手段】
【０００８】
上記課題に沿って本発明は，落し棒受け部材を，その本体をなす有底径大の筒体と，該筒体に着脱自在に設置した，付属部材をなす落し棒挿通案内用にして合成樹脂製のガイドキャップとによる２部材構成として，該ガイドキャップによって落し棒による騒音発生を防止する一方，該ガイドキャップを取外して，上記有底径大の筒体に対して，例えばホースによる加圧水の放水を施し，また指先や幅狭の棒乃至板等を挿入することによって該筒体の侵入塵埃を掻き出し除去する等して，その侵入塵埃除去をなし得るようにしたものであって，即ち請求項１に記載の発明を，施錠用の落し棒と，戸体の縦框内に設置して上記落し棒を透孔に挿通して該落し棒を昇降するガイド部材と，床面に埋込設置して上記落し棒を受け入れる落し棒受け部材とを備え，上記落し棒受け部材を，上記落し棒の外径より径大の内径を有して侵入塵埃除去可能な有底径大の筒体と，該筒体の上端に着脱自在に設置して該筒体の内径を狭小化して上記落し棒を挿通案内する挿通孔を透設した合成樹脂製のガイドキャップを備えて形成してなることを特徴とする落し錠装置としたものである。
【０００９】
請求項２に記載の発明は，上記に加えて，落し棒の外径より相当程度径大の透孔に該落し棒を挿通することによって，同じく戸体が風圧や振動を受けて開閉方向に振れることに伴って，落し棒が揺動し，これらの間で金属音を発生する関係は，上記ガイド部材と落し棒との間においても同様に生じ得るから，該ガイド部材に同様な合成樹脂製のガイドキャップを設置することによって，ガイド部材と落し棒との騒音発生を防止して，上記落し棒による騒音発生を可及的に解消し得るものとするように，これを，上記ガイド部材の透孔の内径を，上記落し棒の外径より径大とし，該ガイド部材に上記落し棒を挿通案内する挿通孔を透設した合成樹脂製のガイドキャップを設置してなることを特徴とする請求項１に記載の落し錠装置としたものである。
【００１０】
請求項３に記載の発明は，同じく上記に加えて，ガイド部材として上下のガイド片に落し棒を挿通案内する形態のものを用いたときにも，上記騒音発生の解消を確実になし得るものとするように，これを，上記ガイド部材を，框固定片と，該框固定片に配置してそれぞれ透孔を透設した上下のガイド片を備えて形成し，上記ガイドキャップを該上下のガイド片にそれぞれ設置してなることを特徴とする請求項２に記載の落し錠装置としたものである。
【００１１】
請求項４に記載の発明は，同じく上記に加えて，上記筒体に用いるガイドキャップと，ガイド部材に用いるガイドキャップを共通の部材とすることによって，部材の増加を可及的に抑制して，上記筒体の侵入塵埃除去と落し棒による騒音発生防止の双方をなし得るものとするように，これを，上記有底径大の筒体におけるガイドキャップと上記ガイド部材におけるガイドキャップを共通部材としてなることを特徴とする請求項２又は３に記載の落し錠装置としたものである。
【００１２】
本発明はこれらをそれぞれ発明の要旨として上記課題解決の手段としたものである。
【発明の効果】
【００１３】
本発明は以上のとおりに構成したから，請求項１に記載の発明は，落し棒受け部材を，その本体をなす有底径大の筒体と，該筒体に着脱自在に設置した，付属部材をなす落し棒挿通案内用にして合成樹脂製のガイドキャップとによる２部材構成として，該ガイドキャップによって落し棒による騒音発生を防止する一方，該ガイドキャップを取外して，上記有底径大の筒体に対して，例えばホースによる加圧水の放水を施し，また指先や幅狭の棒乃至板等を挿入することによって該筒体の侵入塵埃を掻き出し除去する等して，その侵入塵埃除去をなし得るようにして，落し棒受け部材の侵入塵埃除去による施錠トラブルの防止と，落し棒による騒音発生の防止の双方をなし得るようにした落し錠装置を提供することができる。
【００１４】
請求項２に記載の発明は，上記に加えて，ガイド部材に同様に合成樹脂製のガイドキャップを設置することにより，該ガイド部材と落し棒との騒音発生を防止して，上記落し棒による騒音発生を可及的に解消したものとすることができる。
【００１５】
請求項３に記載の発明は，同じく上記に加えて，ガイド部材として上下のガイド片に落し棒を挿通案内する形態のものを用いたときにも，上記騒音発生の解消を確実になし得るものとすることができる。
【００１６】
請求項４に記載の発明は，同じく上記に加えて，上記筒体に用いるガイドキャップと，ガイド部材に用いるガイドキャップを共通の部材とすることによって，部材の増加を可及的に抑制して，上記筒体の侵入塵埃除去と落し棒による騒音発生防止の双方をなし得るものとすることができる。
【発明を実施するための最良の形態】
【００１７】
以下図１乃至図８の図面記載の例に従って本発明を更に具体的に説明すれば，Ａは落し錠装置を設置した屋外設置の門扉の戸体であり，該戸体Ａの落し錠装置Ｂは，施錠用の落し棒１と，戸体Ａの縦框ａ内に設置して上記落し棒１を透孔２３に挿通して該落し棒１を昇降するガイド部材２と，床面に埋込設置して上記落し棒１を受け入れる落し棒受け部材３とを備え，上記落し棒受け部材３を，上記落し棒１の外径より径大の内径を有して侵入塵埃除去可能な有底径大の筒体４と，該筒体４の上端に着脱自在に設置して該筒体４の内径を狭小化して上記落し棒１を挿通案内する挿通孔５２を透設した合成樹脂製のガイドキャップ５を備えて形成してあり，本例にあって該落し錠装置Ａは，その上記ガイド部材２の透孔２３の内径を，上記落し棒１の外径より径大とし，該ガイド部材２に上記落し棒１を挿通案内する挿通孔５２を透設した合成樹脂製のガイドキャップ５を設置したものとしてある。
【００１８】
戸体Ａは，例えば支柱にヒンジを介して，その吊元框を吊支持することによって片開き開閉又は両開き開閉を行うように使用する屋外設置の門扉の門扉本体をなすものとし，その戸先側の縦框ａに上記ガイド部材２と落し棒１を配置し，床面，例えばコンクリート床面に埋込設置した落し棒受け部材３とともに，上記落し錠装置Ａを形成するものとしてある。
【００１９】
本例にあってガイド部材２は，框固定片２１と，該框固定片２１に配置してそれぞれ透孔２３を透設した上下のガイド片２２を備えて形成した，厚肉鋼板製の断面コ字状をなすものとし，該上下のガイド片２２の面内中間，特に中央の上下同一位置をなすようにそれぞれ透孔２３を透設してあり，本例にあって該透孔２３は，後述の落し棒１より径大にして，例えば数ｃｍ，特に２〜３ｃｍ程度の内径，本例にあっては２．１ｃｍ弱のものとして，これを落し棒受け部材３における後述の筒体４の内径と同径又は略同径をなすものとしてある。
【００２０】
本例にあって落し棒１は，下端を裁頭先細りとした中実円形にして鋼製の円柱バー材によるものとしてあり，例えばその外径を１．５ｃｍ程度，本例にあっては１．６ｃｍとしてあり，上記ガイド部材２の透孔２３に挿通して該ガイド部材２によってその昇降を行うようにする一方，落し棒１の，例えば上端を，戸先框の背面側に露出するように上下スライド自在に設置した図示省略の操作摘みに固定して，該操作摘みの上方に向けたスライドによって上昇して，上記筒体４から脱出することにより解錠を行い，下方に向けたスライドによって降下して上記筒体４に挿入して施錠を行うようにしてある。
【００２１】
落し棒受け部材３は，該受け部材３の本体をなす上記有底径大の筒体４と，その付属部材をなすガイドキャップ５の２部材構成のものとしてあり，該有底径大の筒体４は，例えばステンレス等の鋼板にプレス加工を施した底付きの円筒形をなす鋼製管状のものとしてあり，本例にあって該筒体は，上端外周に数ｍｍ程度，例えば４〜５ｍｍの小幅の出幅とした床面載置用のリング状のフランジ４１を張出し突設し，底面のコーナーを湾曲したものとしてあり，本例にあって該落し棒受け部材４は，その筒体上部に，後述のガイドキャップ５を着脱自在に固定するキャップ固定部４２として，倒Ｌ字状にして外周方向に複数，本例にあっては４ヶ所の係止孔を備えたものとしてある。
【００２２】
このとき本例の筒体４は，その高さを数ｃｍ，例えば３〜４ｃｍ程度，本例にあっては３．５ｃｍとし，落し棒１を確実に挿入することによって安定した施錠をなし得るものとしてあり，またその内径は，これを同じく数ｃｍ，例えば２〜３ｃｍ程度，本例にあっては２．１ｃｍとして，人の指，特に人指し指を挿入可能な程度の径のものとしてある。このように筒体４の内径を設定することによって，該筒体４の床面設置状態で，その上端の開口から，例えばホースによる加圧水の放水を施し，また指先や幅狭の棒乃至板等を挿入する等して，該筒体４に侵入した，砂，泥，小石，枯葉等の塵埃を，例えば該塵埃が硬化した場合を含めて，これを掻き出す如くにすることによって，その侵入塵埃除去を可及的簡易且つ確実になし得るようにしてある。
【００２３】
落し錠装置Ａにおける上記有底径大の筒体４，本例にあっては更に上記ガイド部材２の上下のガイド片２２にそれぞれガイドキャップ５を設置してあるところ，本例にあって上記有底径大の筒体４におけるガイドキャップ５と上記ガイド部材２におけるガイドキャップ５を共通部材としてあり，これによって落し錠装置Ａにおける部材の共通化を図ったものとしてある。
【００２４】
本例のガイドキャップ５は，落し棒１を挿通案内する円形の挿通孔５２を透設具備したリング状にして，上記筒体４の開口，本例にあっては更にガイド部材２の透孔２３に嵌合して固定する固定部５７を備えて一体成形した，例えばＰＯＭ（ポリアセタール）等適宜の合成樹脂製のものとしてあり，このとき該ガイドキャップ５は，そのキャップ本体をなすリング部５１と，該リング部５１から交差方向に突出した固定部５７を有する嵌合脚部５５を備えたものとしてある。上記円形の挿通孔５２は，これを，ある程度のクリアランスを置いて落し棒１を遊嵌状に挿通案内することによって，該落し棒１の揺動を許容しながら，合成樹脂製とすることによってその揺動に伴う騒音発生を防止するようにした遊嵌状の形態とするか，または昇降を阻害しない程度のクリアランスを残して該落し棒１を保持状に挿通案内することによって，落し棒１の揺動と戸体Ａの振れを防止し且つ同じく合成樹脂製とすることによって騒音発生を防止するようにした保持状の形態とするようにしてある。本例における該挿通孔５２は，その内径を上記落し棒１の外径より径大にするも上記落し棒１を上記保持状に挿通案内する程度のものとしてあり，該挿通孔５２の内径は，例えば落し棒１より１〜数ｍｍ程度，本例にあっては１〜２ｍｍ程度径大の１．６〜１．７ｃｍとし，これによって上記落し棒１の揺動と戸体Ａの振れの双方を防止するものとしてあり，このとき落し棒１は，その裁頭先細りの下端をガイドとしてガイドキャップ５に挿通し，挿通状態でそのクリアランスを上記１〜数ｍｍ以下の極く僅かとするも，落し棒の昇降案内を自在とするようにしてある。
【００２５】
また本例にあってその嵌合脚部５５は，上記リング部５１の内周から突出し，その円周方向に多数区分，本例にあっては広狭の異幅交互に８区分したものとしてあり，また固定部５１は，該嵌合脚部５５の円周方向所定位置の区分片５６，本例にあっては一つ置きに位置する幅狭の４つの区分片５６に，それぞれ下端を先細りとして外周側に向けて矢尻状をなすように突設した係止突起によるものとしてあり，本例のガイドキャップ５は，更にリング部５１の上面に，その中心を通る直線上に位置するようにコイン回動用の凹陥溝５３を備え，また上記係止突起を設置した幅狭の区分片５６の上方には，該リング部５１に透設することによって，該各区分片５６のスナップイン係止を容易且つ確実に行えるように適当な弾発性を付与する区分片５６毎の切欠孔５４を備えたものとしてある。
【００２６】
以上のように形成した落し錠装置Ａは，上記ガイド部材２の框固定片２１を，戸体Ａにおける戸先側の縦框ａに挿入してその内壁に対接し，該縦框ａの，例えば戸先側の側面からネジを螺入して，これを縦框内の所定高さ位置に固定してあり，また落し棒１は，戸体の該縦框ａの，同じく例えば戸先側の側面に設置した図示省略のガイドプレートに上下動自在に配置し且つ該縦框の切欠き溝を介して裏面に突出した操作摘みの裏面突出固定部に該落し棒１の上端を固定し，上記ガイド部材２における上下のガイド片２２の各透孔２３を挿通するように配置することによって，上記操作摘みを上下にスライド操作して，該ガイド部材２による落し棒１の昇降をなし得るように，該縦框ａ内に昇降自在に設置したものとしてある。
【００２７】
一方，落し錠装置Ａの有底径大の筒体４は，戸体Ａを閉成したときに上記落し棒１が降下する位置に合せた床面，例えば上記コンクリート床面に，そのフランジ４１を該床面に載置するように該床面に埋込設置してあり，これによって上記操作摘みのスライド操作による落し棒１の昇降によって，降下時に落し棒１を受入れて落し錠装置Ａを施錠する一方，上昇時に落し棒１を引抜き離脱して落し錠装置Ａの開錠を行うようにしてある。
【００２８】
このとき上記筒体４とガイド部材２に上記共通部材としたガイドキャップ５は，該埋込設置した筒体４に対して，その上端の開口から嵌合脚部５５を，その幅狭の区分片５６を筒体４の係止孔，特にその倒Ｌ字状の垂直溝位置に合せて下向きに押込むように嵌合し，該嵌合状態で，上記凹陥溝５３にコインを差込んで該コインを捩るように回動して，該幅狭の区分片５６に突出した固定部５７をなす矢尻状の係止突起をキャップ固定部４２をなす係止孔に係止することによって，筒体４に対する回動固定を行うとともに逆方向に回動して該係止を回動解除することによって，その取り外しを行うように着脱自在に設置してある。このとき上記係止突起の係止孔への係止は，矢尻状の係止突起におけるリング部５１側，即ち上端に突出した矢尻水平部位とその傾斜上方部位の倒Ｖ字部を，係止孔の上記垂直溝から横方向に延びる横溝に上下挟持状に引掛係止することによって，これを行うものとしてある。
【００２９】
一方，上記ガイド部材２に対するガイドキャップ５の設置は，その縦框ａに対する挿入固定前に，ガイド部材２の透孔２３に，その上位のガイド片２２においては上方から，下位のガイド片２２においては下方から，その嵌合脚部５５をそれぞれ押込むように嵌合するとともに，その幅狭の区分片５６に配置した係止突起を弾発的に通過させ，該係止突起の上記矢尻水平部位をガイド片における透孔２３の外周縁部にスナップイン状に引掛係止することによって，その固定的な設置を行うものとしてある。
【００３０】
このようにガイドキャップ５を設置した落し錠装置Ａは，ガイド部材２による落し棒１の昇降及び落し棒受け部材３の有底径大の筒体４への落し棒１の受け入れを，それぞれガイドキャップ５の挿通孔５２を遊嵌状に挿通するか，保持状に挿通するように，該ガイドキャップ５を介して行うことによって，そのいずれの場合も，戸体Ａが風圧や振動を受けても，これによる落し棒１の騒音発生を防止することができ，本例のように極く僅かなクリアランスを残して保持状に挿通案内することによって風圧や振動による戸体Ａの振れの可能性を解消して騒音発生を完全に解消することができる。
【００３１】
更に落し棒受け部材３を有底径大の筒体４とガイドキャップ５の複数，特に２部材構成とするとともに該ガイドキャップ５を着脱自在としたことによって，上記筒体４の内径を，落し棒１の径とは無関係とし，塵埃除去の観点からその寸法設定をなし得るようにすることができ，本例にあっては該内径を，例えば上記２ｃｍ程度としたことによって，上記回動固定したガイドキャップ５を，コインによって逆方向に回動してその筒体４に対する係止を回動解除して，該ガイドキャップ５を筒体４から取り外せば，該筒体４に侵入した塵埃を，上記ホースによる加圧水の放水，指先や幅狭の棒乃至板等を挿入等によって掻き出す如くにする等して，可及的簡易且つ確実に侵入塵埃除去を行うことができ，塵埃の侵入による施錠不完全，施錠不能といった施錠トラブルを同時に解消することができる。このとき本例にあって筒体４における底面のコーナーを湾曲したことによってコーナーに塵埃が残るのを可及的に防止することができる。
【００３２】
図示した例は以上のとおりとしたが，落し棒受け部材における有底径大の筒体の底面を全体に亘って下方突出状に湾曲して，上記放水による塵埃除去を容易化すること，該底面に水抜き孔を透設して雨水による塵埃の硬化を可及的に防止すること，ガイド部材を透孔を透設したブロック状乃至プレート状のものとしてこれにガイドキャップを設置すること，筒体とガイド部材の双方にガイドキャップを用いるとき，該ガイドキャップをそれぞれ別の部材とすること，落し錠装置を伸縮門扉における縦框，即ち走行框に設置するものとすること等を含めて，本発明の実施に当って，落し棒，ガイド部材，落し棒受け部材，その筒体，ガイドキャップの具体的形状，構造，材質，これらの関係，これらに対する付加等は，上記発明の要旨に反しない限り様々な形態のものとすることができる。
【図面の簡単な説明】
【００３３】
【図１】縦框に設置した落し錠装置の正面図である。
【図２】落し錠装置の分解斜視図である。
【図３】筒体の平面図である。
【図４】筒体の側面図である。
【図５】筒体の縦断面図である。
【図６】ガイドキャップの底面図である。
【図７】ガイドキャップの縦断面図である。
【図８】同じくガイドキャップの縦断面図である。
【符号の説明】
【００３４】
Ａ  戸体
ａ  縦框
Ｂ  落し錠装置
１  落し棒
２  ガイド部材
２１  框固定片
２２  ガイド片
２３  透孔
３  落し棒受け部材
４  筒体
４１  フランジ
４２  キャップ固定部
５  ガイドキャップ
５１  リング部
５２  挿通孔
５３  凹陥溝
５４  切欠孔
５５  嵌合脚部
５６  区分片
５７  固定部
【図１】
2009150055.tif 000003
【図２】
2009150055.tif 000004
【図３】
2009150055.tif 000005
【図４】
2009150055.tif 000006
【図５】
2009150055.tif 000007
【図６】
2009150055.tif 000008
【図７】
2009150055.tif 000009
【図８】
2009150055.tif 000010